(57)【要約】【課題】バスバーキットを提供すること。【解決手段】本発明のバスバーキットは、遮断器とメインバスバーとを電気的に接続するバスバーキットであって、内部空間を有する絶縁ケース、前記絶縁ケース内に前記メインバスバーと互いに離隔して交差するように配置される分岐バスバー、および前記メインバスバーと前記分岐バスバーとを電気的に接続するバスバーコネクタを含む。【選択図】図１
2016529860.tif 000002
【特許請求の範囲】
【請求項１】
遮断器とメインバスバーとを電気的に接続するバスバーキットにおいて、
内部空間を有する絶縁ケース、
前記絶縁ケース内に前記メインバスバーと互いに離隔して交差するように配置される分岐バスバー、および
前記メインバスバーと前記分岐バスバーとを電気的に接続するバスバーコネクタを含み、
前記バスバーコネクタは、
前記分岐バスバーに接触する上部部材と、前記メインバスバーに接触する下部部材と、前記上部部材と前記下部部材とを連結する連結部材とを含むことを特徴とする、バスバーキット。
【請求項２】
前記絶縁ケースは、
互いに平行に配置される前面板と後面板と、
前記前面板および前記後面板の両端部に連結される外部側壁と、
前記前面板、前記後面板および前記外部側壁の上端部に連結される上部板と、
前記前面板および前記後面板の下端部に連結され、互いに離隔して配置される複数の下部板と、および
前記下部板の縁部に連結され、前記外部側壁と平行に配置される複数の内部側壁とを含み、
前記前面板と前記後面板は、
前記下部板同士の間および前記内部側壁同士の間の領域が前記絶縁ケースの前面と後面に露出するように、その下端の縁部から内部に伸長する凹部を有することを特徴とする、請求項１に記載のバスバーキット。
【請求項３】
前記後面板または前記内部側壁に連結され、前記バスバーコネクタの上部部材と下部部材との間に挿入されて前記バスバーコネクタを支持するコネクタ支持台をさらに含むことを特徴とする、請求項２に記載のバスバーキット。
【請求項４】
前記コネクタ支持台は、
前記バスバーコネクタの前記上部部材の下部面と対向する部分に設けられたスプリング支持溝と、前記スプリング支持溝に設けられ、前記バスバーコネクタを支持するスプリングとを含むことを特徴とする、請求項３に記載のバスバーキット。
【請求項５】
前記外部側壁は前記内部空間を外部に露出させる第１開口部を有し、
前記内部側壁は前記第１開口部に対応する位置に第２開口部を有し、
前記第１開口部と前記第２開口部に挿入され、前記メインバスバーを支持するメインバスバー支持台をさらに含むことを特徴とする、請求項２に記載のバスバーキット。
【請求項６】
前記絶縁ケースの内部面に連結され、前記分岐バスバーを前記内部空間に固定させる分岐バスバーガイドをさらに含むことを特徴とする、請求項１に記載のバスバーキット。
【請求項７】
前記分岐バスバーの上に配置され、前記分岐バスバーを前記バスバーコネクタに密着させる加圧部をさらに含み、
前記加圧部はボルトとナットを含むことを特徴とする、請求項１に記載のバスバーキット。
【請求項８】
前記絶縁ケースの内部面に連結され、前記加圧部の一部が挿入される挿入溝を有する加圧部支持台をさらに含むことを特徴とする、請求項７に記載のバスバーキット。
【請求項９】
前記絶縁ケースは、
前記内部空間を限定するケース本体と、
前記ケース本体の上端部に連結される上部板とを含むことができ、
前記上部板は前記ケース本体に対して着脱されることを特徴とする、請求項１に記載のバスバーキット。
【発明の詳細な説明】
【技術分野】
【０００１】
本発明は、バスバーキットに関する。
【背景技術】
【０００２】
分電盤は、工場、建物、大型住居地域など、例えばアパートに電気を分配するとともに、過電流を遮断して電気的事故を防止し、且つ負荷機器を保護する電気機器である。
【０００３】
従来の分電盤は、電源側から電力を引き込んで回路を遮断することが可能な主配線用遮断器と、主配線用遮断器の負荷側端子に接続される複数のメインバスバーと、主配線用遮断器からの電力を負荷側に分電するための複数の分岐配線用遮断器と、前記メインバスバーからの電流経路を分岐するために、前記メインバスバーと前記分岐配線用遮断器の端子部との間に接続される分岐バスバーとから構成される。
【０００４】
このような従来の分電盤は、メインバスバーと分岐バスバーをねじで互いに接続するために穴加工、および穴の内周面にねじ面を形成する、いわゆるタップ（ＴＡＰ）加工を必要とし且つこのような加工のための特定の設備を必要として製造工程が複雑であり、大量生産が難しい。また、従来の分電盤は、多数の手作業工程を必要とするので、製造に長時間がかかり、多くの人手がかかって費用が上昇する。また、従来の分電盤は、使用、製造または現場設置中に回路追加などの変更が発生した場合、メインバスバーおよび分岐バスバーの穴加工およびタップ加工によりそのような変更にフレキシブルに対応することができない。
【０００５】
最近では、分岐バスバーが外部に露出しないように、分岐バスバーの内蔵されたバスバーキットを使用している。ところが、前記バスバーキットは、分電盤に設置することが容易でないため多くの作業時間および人手がかかり、いずれか一つが故障した場合、隣接するバスバーキットまですべて分電盤から分離しなければならないなど、修理および交換が容易ではない。
【発明の概要】
【発明が解決しようとする課題】
【０００６】
本発明は、かかる問題点を解決するために、その目的は、分電盤などの製造工程の簡単化を図ることができるとともに、分電盤などの変更に容易に対応することができるバスバーキットを提供することにある
【０００７】
本発明の他の目的は、分電盤などの性能を向上させることが可能なバスバーキットを提供することにある。
【０００８】
本発明の別の目的は以降の詳細な説明および添付図面から明確になるであろう。
【課題を解決するための手段】
【０００９】
本発明の実施形態に係るバスバーキットは、遮断器とメインバスバーとを電気的に接続するバスバーキットであって、内部空間を有する絶縁ケース、前記絶縁ケース内に前記メインバスバーと互いに離隔して交差するように配置される分岐バスバー、および前記メインバスバーと前記分岐バスバーとを電気的に接続するバスバーコネクタを含む。
【００１０】
前記バスバーコネクタは、前記分岐バスバーに接触する上部部材と、前記メインバスバーに接触する下部部材と、前記上部部材と前記下部部材とを連結する連結部材とを含むことができる。
【００１１】
前記絶縁ケースは、互いに平行に配置される前面板と後面板と、前記前面板および前記後面板の両端部に連結される外部側壁と、前記前面板、前記後面板および前記外部側壁の上端部に連結される上部板と、前記前面板および前記後面板の下端部に連結され、互いに離隔して配置される複数の下部板と、および前記下部板の縁部に連結され、前記外部側壁と平行に配置される複数の内部側壁とを含むことができる。前記前面板と前記後面板は、前記下部板同士の間および前記内部側壁同士の間の領域が前記絶縁ケースの前面と後面に露出するように、その下端の縁部から中央領域に伸長する凹部を有することができる。
【００１２】
前記バスバーキットは、前記後面板または前記内部側壁に連結され、前記バスバーコネクタの上部部材と下部部材との間に挿入されて前記バスバーコネクタを支持するコネクタ支持台をさらに含むことができる。前記コネクタ支持台は、前記バスバーコネクタの前記上部部材の下部面と対向する部分に設けられたスプリング支持溝と、前記スプリング支持溝に設けられ、前記バスバーコネクタを支持するスプリングとを含むことができる。
【００１３】
前記外部側壁は前記内部空間を外部に露出させる第１開口部を有し、前記内部側壁は前記第１開口部に対応する位置に第２開口部を有することができ、前記バスバーキットは、前記第１開口部と前記第２開口部に挿入されて前記メインバスバーを支持するメインバスバー支持台をさらに含むことができる。
【００１４】
前記バスバーキットは、前記絶縁ケースの内部面に連結され、前記分岐バスバーを前記内部空間に固定させる分岐バスバーガイドをさらに含むことができる。
前記バスバーキットは、前記分岐バスバーの上に配置され、前記分岐バスバーを前記バスバーコネクタに密着させる加圧部をさらに含むことができる。前記加圧部はボルトとナットを含むことができる。
【００１５】
前記バスバーキットは、前記絶縁ケースの内部面に連結され、前記加圧部の一部が挿入される挿入溝を有する加圧部支持台をさらに含むことができる。
【００１６】
前記絶縁ケースは、前記内部空間を限定するケース本体と、前記ケース本体の上端部に連結される上部板とを含むことができ、前記上部板は前記ケース本体に対して着脱できる。
【発明の効果】
【００１７】
本発明の実施形態によれば、バスバーキットは分電盤などに簡単かつ容易に設置できる。また、前記バスバーキットは設置された分電盤などから容易に分離できる。よって、バスバーキットが故障した場合、故障したバスバーキットのみを分離して修理や交換が可能である。このように、分電盤などの製造工程の簡単化を図ることができ、分電盤などの変更に容易に対応することができる。また、前記バスバーキット内で分岐バスバーとメインバスバーとがバスバーコネクタによって互いに安定的に接続できるため、分電盤などの性能の向上を図ることができる。
【図面の簡単な説明】
【００１８】
【図１】本発明の一実施形態に係るバスバーキットが適用された分電盤の平面図である。
【図２ａ】本発明の一実施形態に係るバスバーキットの分解斜視図である。
【図２ｂ】図１のＡ−Ａ線に沿った断面図である。
【図３ａ】本発明の他の実施形態に係るバスバーキットの分解斜視図である。
【図３ｂ】図１のＡ−Ａ線に沿った断面図である。
【図４−１１】本発明の別の実施形態に係るバスバーキットの断面図である。
【図１２ａ−１２ｃ】本発明の実施形態に係るバスバーキットの平面図である。
【発明を実施するための形態】
【００１９】
以下、実施形態を挙げて本発明を詳細に説明する。本発明の目的、特徴、利点は以下の実施形態から容易に理解できるであろう。本発明は、ここで説明される実施形態に限定されず、他の形態に具体化されることもできる。ここで紹介される実施形態は、開示された内容が徹底的で完全なものとなるように、かつ本発明の属する技術分野における通常の知識を有する者に本発明の思想が十分に伝達されるようにするために提供されるものである。よって、以下の実施形態により本発明が限定されてはならない。
【００２０】
図面において、要素の大きさ、または要素間の相対的な大きさは、本発明に対するさらに明確な理解のために多少誇張して図示できる。また、図示した要素の形状が製造工程上の変異などによって多少変更できるであろう。したがって、本明細書で開示した実施形態は、特別な記載がない限り、図示した形状に限定されてはならず、ある程度の変形を含むものと理解されるべきである。
【００２１】
本発明の実施形態では、分電盤を例として説明しているが、これに限定されない。本発明に係るバスバーキットは配電盤、低圧盤などにも適用できる。
【００２２】
図１は本発明の一実施形態に係るバスバーキットが適用された分電盤の平面図である。
【００２３】
図１を参照すると、分電盤１は、第１遮断器１０、第２遮断器２０、メインバスバー（ｍａｉｎ  ｂｕｓ  ｂａｒ）３０、およびバスバーキット１００を含むことができる。第１遮断器１０、第２遮断器２０、メインバスバー３０およびバスバーキット１００を含む分電盤１の構成部品は、外函（図示せず）内に内蔵されて外部から遮蔽できる。前記外函は、前記構成部品が配置されるメインプレートと、前記メインプレートに連結されて前記構成部品を覆う上部蓋とを含むことができる。
【００２４】
第１遮断器１０は、主配線用遮断器であって、一つの分電盤１に一つが配置できる。第１遮断器１０は、電源側端子部１１、負荷側端子部１２および遮断スイッチ１３を含むことができる。電源側端子部１１は電源側との接続のための端子部であり、負荷側端子部１２は負荷側との接続のための端子部である。前記電源側は電力供給部（図示せず）および電力引込線（図示せず）を意味することができ、負荷側はメインバスバー３０および第２遮断器２０を意味することができる。遮断スイッチ１３は電源側端子部１１と負荷側端子部１２間の電流の流れを開閉することができる。
【００２５】
第２遮断器２０は、分岐配線用遮断器であって、一つの分電盤１に複数個が配置できる。第２遮断器２０は、電源側との接続のための電源側端子部２１、負荷側との接続のための負荷側端子部２２、および遮断スイッチ２３を含むことができる。遮断スイッチ２３は電源側端子部２１と負荷側端子部２２間の電流の流れを開閉することができる。第２遮断器２０は第１遮断器１０からの電力を分岐して負荷側に引き出す機能をする。
【００２６】
メインバスバー３０は第１遮断器１０の負荷側端子部１２に電気的に接続される。メインバスバー３０は電気的導体から形成され、それぞれの交流の相と中性Ｎに対応するように配置される。例えば、メインバスバー３０は交流のＲ相、Ｓ相およびＴ相と中性Ｎ用の４つが互いに離隔して配置される。
【００２７】
バスバーキット１００はメインバスバー３０と交差するように配置される。バスバーキット１００は、メインバスバー３０と第２遮断器２０とを電気的に接続する機能をする。例えば、第２遮断器２０が３相３線用遮断器である場合、３つのバスバーキット１００が接続できる。
【００２８】
バスバーキット１００の上部面に、各相を区分することが可能な色相を持つラベルが貼付できる。たとえば、Ｒ相は黒色、Ｓ相は赤色、Ｔ相は青色、Ｎ相は白色または灰色のラベルが貼付できる。
【００２９】
図２ａは本発明の一実施形態に係るバスバーキットの分解斜視図であり、図２ｂは図１のＡ−Ａ線に沿ったバスバーキットの断面図である。
【００３０】
図２ａおよび図２ｂを参照すると、バスバーキット１００は絶縁ケース１１０、分岐バスバー１２０およびバスバーコネクタ１３０を含むことができる。
【００３１】
絶縁ケース１１０はケース本体１１１、前面板１１６および上部板１１７を含むことができる。
【００３２】
ケース本体１１１は後面板１１２、外部側壁１１３、下部板１１４および内部側壁１１５を含むことができる。
【００３３】
後面板１１２には、バスバーキット１００の構成、例えば、分岐バスバーガイド１２５、コネクタ支持板１３５、コネクタ支持台１４１および第１加圧部支持台１５６が結合されて配置できる。後面板１１２は前面板１１６に対応する形状を有することができる。
【００３４】
外部側壁１１３は第１開口部１１３ａを含むことができる。第１開口部１１３ａは互いに幅の異なる上部領域と下部領域を持つことができる。前記上部領域の幅が前記下部領域の幅よりも大きくもてよい。第１開口部１１３ａの上部領域は、前面板１１６に当接する部分まで繋がった挿入口１１３ｂを含むことができる。分岐バスバー１２０の連結部１２２が挿入口１１３ｂに挿入されることにより、分岐バスバー１２０が絶縁ケース１１０に容易に装着できる。分岐バスバー１２０の連結部１２２は第１開口部１１３ａを介して絶縁ケース１１０の外部に露出できる。第１開口部１１３ａの下部領域にメインバスバー支持台１６０が挿入できる。
【００３５】
複数の下部板１１４が互いに離隔して並んで配置でき、下部板１１４の縁部にそれぞれ連結された複数の内部側壁１１５が外部側壁１１３と並んで配置できる。内部側壁１１５は第２開口部１１５ａを含むことができる。第２開口部１１５ａは、第１開口部１１３ａの下部領域に対応し、メインバスバー支持台１６０が挿入できる。下部板１１４同士の間および内部側壁１１５同士の間の限られた領域１１４ａにメインバスバー３０が挿入できる。メインバスバー支持台１６０をバスバーキット１００から分離した後、領域１１４ａにメインバスバー３０が挿入されるようにバスバーキット１００を分電盤（図１の１を参照）に配置し、メインバスバー支持台１６０を外部側壁１１３の第１開口部１１３ａと内部側壁１１５の第２開口部１１５ａに挿入することにより、バスバーキット１００が前記分電盤に装着できる。このように、メインバスバー３０が挿入できる領域１１４ａを限定する複数の下部板１１４と内部側壁１１５を含む絶縁ケース１１０の構成によって、バスバーキット１００が前記分電盤に対して容易に装着または分離できる。
【００３６】
前面板１１６は、ケース本体１１１の前面部に配置され、その前面を覆うことができる。前面板１１６は、その下端の縁部から中央領域に伸長する複数の凹部１１６ａを有することができる。凹部１１６ａは領域１１４ａに対応するように配置される。前面板１１６は、縁部領域にナット穴を有することができ、該ナット穴にボルトが挿入されてケース本体１１１に結合できる。
【００３７】
上部板１１７はケース本体１１１の上端部に配置されてその上部を覆うことができる。上部板１１７はケース本体１１１の上端部に対してスライディング方式またはワンタッチ方式などによって着脱できる。
【００３８】
分岐バスバー１２０は、分岐バスバー本体部１２１および連結部１２２を含むことができる。分岐バスバー本体部１２１は、絶縁ケース１１０の限られた内部空間に配置できるように、両端部が曲がった薄い棒状を有することができる。連結部１２２は、外部側壁１１３の第１開口部１１３ａによって外部に露出して第２遮断器２０の電源側端子部２１に接続できる。
【００３９】
バスバーコネクタ１３０は、分岐バスバー１２０とメインバスバー３０との間に配置され、分岐バスバー１２０とメインバスバー３０とを電気的に接続することができる。バスバーコネクタ１３０は、上部部材１３１、連結部材１３２および下部部材１３３を含むことができる。上部部材１３１は分岐バスバー１２０の下に配置されてその下部面と接触し、下部部材１３３はメインバスバー３０の上に配置されてその上部面と接触する。連結部材１３２は上部部材１３１および下部部材１３３の中央部を互いに連結することができる。
【００４０】
コネクタ支持台１４１は、バスバーコネクタ１３０の上部部材１３１と下部部材１３３との間に配置され、バスバーコネクタ１３０を支持することができる。コネクタ支持台１４１がバスバーコネクタ１３０の連結部材１３２の両側または一側に配置できる。コネクタ支持台１４１は、後面板１１２および内部側壁１１５の少なくとも一つに連結されて絶縁ケース１１０内に安定的に固定できる。
【００４１】
コネクタ支持台１４１は、スプリング１４５を収容することが可能なスプリング支持溝１４１ａを有することができる。スプリング支持溝１４１ａに提供されたスプリング１４５は、上部部材１３１を支持することにより、バスバーコネクタ１３０を弾性的に支持することができる。
【００４２】
分岐バスバーガイド１２５は、後面板１１２に連結されて絶縁ケース１１０内に固定できる。分岐バスバーガイド１２５は、分岐バスバー１２０が絶縁ケース１１０内で揺れることなく安定的に装着できるようにする。
【００４３】
コネクタ支持板１３５は、バスバーコネクタ１３０に対応するように後面板１１２上に配置できる。コネクタ支持板１３５は、バスバーコネクタ１３０と同一の形状を有することができ、バスバーコネクタ１３０の一部を代替する効果を持っている。よって、バスバーコネクタ１３０がコネクタ支持板１３５の長さ分だけ短くなることができる。
【００４４】
第１加圧部支持台１５６はコネクタ支持板１３５の上部の後面板１１２上に配置でき、第２加圧部支持台１５７は前面板１１６の上に第１加圧部支持台１５６と対応するように配置できる。第１および第２加圧部支持台１５６、１５７は、加圧部１５０の一部が挿入できる挿入溝を有することができる。
【００４５】
加圧部１５０はナット１５１とボルト１５２を含むことができる。ナット１５１の一端部は第１加圧部支持台１５６の挿入溝に挿入され、ナットの他端部は第２加圧部支持台１５７の挿入溝に挿入できる。ナット１５１のホールは第１加圧部支持台１５６と第２加圧部支持台１５７との間に露出できる。前記ホールにボルト１５２が挿入できる。ボルト１５２は分岐バスバー１２０を加圧してバスバーコネクタ１３０に密着させることができる。
【００４６】
図３ａは本発明の他の実施形態に係るバスバーキットの分解斜視図であり、図３ｂは図１のＡ−Ａ線に沿ったバスバーキットの断面図である。
【００４７】
図３ａおよび図３ｂを参照すると、バスバーコネクタ１３０の連結部材１３２は上部部材１３１および下部部材１３３の両端部を互いに連結することができる。上部部材１３１、連結部材１３２および下部部材１３３によって限定される領域にコネクタ支持台１４１が挿入できる。コネクタ支持台１４１は、内部側壁１１５同士の間で後面板１１２に固定されるように配置される。コネクタ支持台１４１は、スプリング１４５を収容することが可能なスプリング支持溝１４１ａを有することができる。コネクタ支持台１４１のスプリング支持溝１４１ａに設けられたスプリング１４５は、上部部材１３１を支持することにより、バスバーコネクタ１３０を弾性的に支持することができる。
【００４８】
図４〜図１１は本発明の別の実施形態に係るバスバーキットの断面図である。
【００４９】
図４を参照すると、バスバーコネクタ１３０の連結部材１３２と下部部材１３３が同じ幅を有することができる。コネクタ支持台１４１は、スプリング１４５を収容することが可能なスプリング支持溝１４１ａを有することができる。コネクタ支持台１４１のスプリング支持溝１４１ａに設けられたスプリング１４５は、上部部材１３１を支持することにより、バスバーコネクタ１３０を弾性的に支持することができる。
【００５０】
図５を参照すると、バスバーコネクタ１３０の連結部材１３２は、上部部材１３１および下部部材１３３の両端部のいずれか一方を互いに連結することができる。コネクタ支持台１４１は上部部材１３１と下部部材１３３との間に挿入されて連結部材１３２の一側に配置できる。コネクタ支持台１４１は、スプリング１４５を収容することが可能なスプリング支持溝１４１ａを有することができる。コネクタ支持台１４１のスプリング支持溝１４１ａに設けられたスプリング１４５は、上部部材１３１を支持することにより、バスバーコネクタ１３０を弾性的に支持することができる。
【００５１】
図６を参照すると、バスバーコネクタ１３０は互いに分離された二つの下部部材１３３を含むことができる。連結部材１３２は、上部部材１３１の両端部と分離された二つの下部部材１３３を互いに連結することができる。コネクタ支持台１４１は、上部部材１３１と２つの連結部材１３２によって限定される領域に挿入できる。コネクタ支持台１４１は、スプリング１４５を収容することが可能なスプリング支持溝１４１ａを有することができる。コネクタ支持台１４１のスプリング支持溝１４１ａに設けられたスプリング１４５は、上部部材１３１を支持することにより、バスバーコネクタ１３０を弾性的に支持することができる。
【００５２】
図７を参照すると、コネクタ支持台１４１は、バスバーコネクタ１３０の上部部材１３１、連結部材１３２および下部部材１３３によって限定される領域に挿入できる。コネクタ支持台１４１は、上部部材１３１の下部面、連結部材１３２の側面、および下部部材１３３の上部面と接触することができる。コネクタ支持台１４１は連結部材１３２の両側または一側に配置できる。コネクタ支持台１４１はスプリング１４５およびスプリング支持溝１４１ａを含まなくてもよい。
【００５３】
図８を参照すると、バスバーコネクタ１３０の連結部材１３２と下部部材１３３が同じ幅を有することができる。コネクタ支持台１４１は上部部材１３１の下部面および連結部材１３２の側面と接触することができる。コネクタ支持台１４１は連結部材１３２の両側または一側に配置できる。
【００５４】
図９を参照すると、バスバーコネクタ１３０の連結部材１３２は上部部材１３１および下部部材１３３の両端部を互いに連結することができる。上部部材１３１、連結部材１３２および下部部材１３３によって限定される領域にコネクタ支持台１４１が挿入できる。コネクタ支持台１４１の外部面はバスバーコネクタ１３０の内部面と接触することができる。
【００５５】
図１０を参照すると、バスバーコネクタ１３０の連結部材１３２は上部部材１３１および下部部材１３３の両端部のいずれか一方を互いに連結することができる。コネクタ支持台１４１は上部部材１３１と下部部材１３３との間に挿入されて連結部材１３２の一側に配置できる。
【００５６】
図１１を参照すると、バスバーコネクタ１３０は互いに分離された二つの下部部材１３３を含むことができる。連結部材１３２は上部部材１３１の両端部と分離された二つの下部部材１３３を互いに連結することができる。コネクタ支持台１４１は上部部材１３１と２つの連結部材１３２によって限定される領域に挿入できる。
【００５７】
図１２ａ〜図１２ｃは本発明の実施形態に係るバスバーキット１００の平面図である。
【００５８】
図１２ａ〜図１２ｃを参照すると、バスバーキット１００は、各相別に１つずつ区分されて製造されるか、或いは２つ以上の相に応じて２つずつまたは３つずつ組み合わせて製造され得る。
【００５９】
以上、本発明の具体的な実施形態について考察した。本発明の属する技術分野における通常の知識を有する者は、本発明が本発明の本質的な特性から逸脱しない範囲で変形した形態で具現できることを理解することができるであろう。したがって、開示された実施形態は限定的な観点ではなく、説明的な観点で考慮されるべきである。本発明の範囲は前述した説明ではなく、特許請求の範囲に示されており、それと同等の範囲内にあるすべての差異点は本発明に含まれるものと解釈されるべきである。
【産業上の利用可能性】
【００６０】
本発明の実施形態に係るバスバーキットは、分電盤、配電盤、低圧盤などに適用できる。
【図１】
2016529860.tif 000003
【図２ａ】
2016529860.tif 000004
【図２ｂ】
2016529860.tif 000005
【図３ａ】
2016529860.tif 000006
【図３ｂ】
2016529860.tif 000007
【図４】
2016529860.tif 000008
【図５】
2016529860.tif 000009
【図６】
2016529860.tif 000010
【図７】
2016529860.tif 000011
【図８】
2016529860.tif 000012
【図９】
2016529860.tif 000013
【図１０】
2016529860.tif 000014
【図１１】
2016529860.tif 000015
【図１２ａ】
2016529860.tif 000016
【図１２ｂ】
2016529860.tif 000017
【図１２ｃ】
2016529860.tif 000018
【国際調査報告】
2016529860.tif 000019
2016529860.tif 000020
2016529860.tif 000021
2016529860.tif 000022